(57)【要約】【課題】コンパクトなズームレンズ系、及びそのズームレンズ系を用いる撮像装置と、カメラと、を提供することを目的とする。【解決手段】ズームレンズ系は、物体側から像側へと順に、正のパワーを有する１枚の第１レンズ素子からなる第１レンズ群と、負のパワーを有する１枚の第２レンズ素子からなる第２レンズ群と、負のパワーを有する第３レンズ群と、２つ以上のレンズ群を含む後続レンズ群と、で構成される光学系において、ズーミングに際して、各レンズ群の間隔が変化する。そして条件：１．６５＜｜ｆ２｜／ｆｗ＜２．２０（ここで、ｆ２：第２レンズ群の焦点距離、ｆｗ：広角端における全系焦点距離、である）を満足する。【選択図】図１
2018049262.tif 000002
【特許請求の範囲】
【請求項１】
物体側から像側へと順に、
正のパワーを有する１枚の第１レンズ素子からなる第１レンズ群と、
負のパワーを有する１枚の第２レンズ素子からなる第２レンズ群と、
負のパワーを有する第３レンズ群と、
少なくとも２つ以上のレンズ群を含む後続レンズ群と、を備え、
ズーミングに際して、各レンズ群の間隔が変化し、
下記の条件（１）を満足し、
１．６５  ＜  ｜ｆ２｜／ｆｗ  ＜    ２．２０  ・・・（１）
ここで、
ｆ２：前記第２レンズ群の焦点距離、
ｆｗ：広角端における全系焦点距離、
である、ズームレンズ系。
【請求項２】
以下の条件（２）を満足し、
１．６５  ＜  ｎｄ２  ＜  ２．１０  ・・・（２）
ここで、
ｎｄ２：前記第２レンズ群のｄ線屈折率、
である、請求項１に記載のズームレンズ系。
【請求項３】
以下の条件（３）を満足し、
６０  ＜  （ｖｄａ＋ｖｄｂ）/  ２      ・・・（３）
ここで、
ｖｄａ：前記後続レンズ群のレンズ素子の中で最も大きいアッベ数、
ｖｄｂ：前記後続レンズ群のレンズ素子の中で２番目に大きいアッベ数、
である、請求項１に記載のズームレンズ系。
【請求項４】
前記後続レンズ群は、物体側から像側へと順に、
正のパワーを有する第４レンズ群と、
正のパワーを有する第５レンズ群と、
負のパワーを有する第６レンズ群と、
からなる、請求項１に記載のズームレンズ系。
【請求項５】
前記後続レンズ群は、物体側から像側へと順に、
正のパワーを有する第４レンズ群と、
正のパワーを有する第５レンズ群と、
からなる、請求項１に記載のズームレンズ系。
【請求項６】
以下の条件（４）を満足し、
５．５０  ＜  ｜ｆ３｜／ｆｗ  ＜    ７．２０  ・・・（４）
ここで、
ｆ３：前記第３レンズ群の焦点距離、
である、請求項１に記載のズームレンズ系。
【請求項７】
以下の条件（５）を満足し、
３５  ＜  νｄＧ１ｍａｘ  ＜  ８０  ・・・（５）
ここで、
νｄＧ１ｍａｘ：第１レンズ群と第２ンズ群のレンズ素子の中で最も大きいアッベ数、
である、請求項１に記載のズームレンズ系。
【請求項８】
以下の条件（６）を満足し、
１．５  ＜  ｎｄＧ１２ｍｉｎ  ＜  １．８５  ・・・（６）
ここで、
ｎｄＧ１２ｍｉｎ：第１レンズ群と第２ンズ群のレンズ素子の中で最も小さいｄ線に対する屈折率、
である、請求項１に記載のズームレンズ系。
【請求項９】
物体の光学的な像を形成するズームレンズ系と、
前記ズームレンズ系により形成された光学的な像を電気的な画像信号に変換する撮像素子と、
を備え、
前記ズームレンズ系が、物体側から像側へと順に、
正のパワーを有する１枚の第１レンズ素子からなる第１レンズ群と、
負のパワーを有する１枚の第２レンズ素子からなる第２レンズ群と、
負のパワーを有する第３レンズ群と、
少なくとも２つ以上のレンズ群を含む後続レンズ群と、を備え、
ズーミングに際して、各レンズ群の間隔が変化し、
下記の条件（１）を満足し、
１．６５  ＜  ｜ｆ２｜／ｆｗ  ＜    ２．２０  ・・・（１）
ここで、
ｆ２：前記第２レンズ群の焦点距離、
ｆｗ：広角端における全系焦点距離、
である、撮像装置。
【請求項１０】
物体の光学的な像を形成するズームレンズ系と、
前記ズームレンズ系により形成された光学的な像を電気的な画像信号に変換する撮像素子と、
を備え、
前記ズームレンズ系が、物体側から像側へと順に、
正のパワーを有する１枚の第１レンズ素子からなる第１レンズ群と、
負のパワーを有する１枚の第２レンズ素子からなる第２レンズ群と、
負のパワーを有する第３レンズ群と、
少なくとも２つ以上のレンズ群を含む後続レンズ群と、を備え、
ズーミングに際して、各レンズ群の間隔が変化し、
下記の条件（１）を満足し、
１．６５  ＜  ｜ｆ２｜／ｆｗ  ＜    ２．２０  ・・・（１）
ここで、
ｆ２：前記第２レンズ群の焦点距離、
ｆｗ：広角端における全系焦点距離、
であり、
前記撮像素子により変換された前記画像信号の表示及び記憶の少なくとも一方を行う、カメラ。
【発明の詳細な説明】
【技術分野】
【０００１】
本開示は、コンパクトで諸収差の良好なズームレンズ系、及びそのズームレンズ系を用いる撮像装置に関する。
【背景技術】
【０００２】
特許文献１は、正のパワーを有する第１レンズ群と、負のパワーを有する第２レンズ群と、後続する少なくとも２つのレンズ群とを備え、該２つのレンズ群は、正のパワーを有するレンズ群と、その像側に配置されたレンズ群とを含む、ズーム光学系を開示する。
【先行技術文献】
【特許文献】
【０００３】
【特許文献１】特開２００９−２６５６５３号公報
【発明の概要】
【発明が解決しようとする課題】
【０００４】
本開示は、コンパクトなズームレンズ系、及びそのズームレンズ系を用いる撮像装置と、カメラと、を提供することを目的とする。
【課題を解決するための手段】
【０００５】
本開示にかかるズームレンズ系は、物体側から像側へと順に、正のパワーを有する１枚の第１レンズ素子からなる第１レンズ群と、負のパワーを有する１枚の第２レンズ素子からなる第２レンズ群と、負のパワーを有する第３レンズ群と、２つ以上のレンズ群を含む後続レンズ群と、で構成される光学系において、ズーミングに際して、各レンズ群の間隔が変化する。そして下記の条件（１）を満足する。
【０００６】
１．６５  ＜  ｜ｆ２｜／ｆｗ  ＜    ２．２０  ・・・（１）
ここで、
ｆ２：第２レンズ群の焦点距離、
ｆｗ：広角端における全系焦点距離、
である。
【発明の効果】
【０００７】
本開示によれば、コンパクトなズームレンズ系、及びそのズームレンズ系を用いる撮像装置と、カメラと、を提供することができる。
【図面の簡単な説明】
【０００８】
【図１】実施の形態１（数値実施例１）に係るズームレンズ系の無限遠合焦状態を示すレンズ配置図
【図２】実施の形態１に係るズームレンズ系の無限遠合焦状態の縦収差図
【図３】実施の形態１に係るズームレンズ系の望遠端における横収差図
【図４】実施の形態２（数値実施例２）に係るズームレンズ系の無限遠合焦状態を示すレンズ配置図
【図５】実施の形態２に係るズームレンズ系の無限遠合焦状態の縦収差図
【図６】実施の形態２に係るズームレンズ系の望遠端における横収差図
【図７】実施の形態３（数値実施例３）に係るズームレンズ系の無限遠合焦状態を示すレンズ配置図
【図８】実施の形態３に係るズームレンズ系の無限遠合焦状態の縦収差図
【図９】実施の形態３に係るズームレンズ系の望遠端における横収差図
【図１０】実施の形態４（数値実施例４）に係るズームレンズ系の無限遠合焦状態を示すレンズ配置図
【図１１】実施の形態４に係るズームレンズ系の無限遠合焦状態の縦収差図
【図１２】実施の形態４に係るズームレンズ系の望遠端における横収差図
【図１３】実施の形態１に係るズームレンズ系を適用した撮像装置の概略構成図
【図１４】は、実施の形態１に係るズームレンズ系を適用したカメラの概略構成図
【発明を実施するための形態】
【０００９】
以下、適宜図面を参照しながら、実施の形態を詳細に説明する。但し、必要以上に詳細な説明は省略する場合がある。例えば、既に良く知られた事項の詳細説明や実質的に同一の構成に対する重複説明を省略する場合がある。これは、以下の説明が不必要に冗長になるのを避け、当業者の理解を容易にするためである。
【００１０】
なお、出願人は、当業者が本開示を十分に理解するために添付図面及び以下の説明を提供するのであって、これらによって特許請求の範囲に記載の主題を限定することを意図するものではない。
【００１１】
（実施の形態１〜４）
図１、図４、図７、図１０は、各々実施の形態１〜４に係るズームレンズ系のレンズ配置図であり、いずれも無限遠合焦状態にあるズームレンズ系を表している。
【００１２】
図１、図４、図７、図１０において、（ａ）図は広角端（最短焦点距離状態：焦点距離ｆＷ）のレンズ構成、（ｂ）図は中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。（ａ）図、（ｂ）図、（ｃ）図において、縦横比は一致している。
【００１３】
また図１、図４、図７、図１０において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。
【００１４】
さらに図１、図４、図７、図１０において、レンズ群に付された矢印は、無限遠合焦状態から近接合焦状態へのフォーカシングを表す。なお、これら図１、図４、図７、図１０では、（ａ）図における各レンズ群の位置の下部に各レンズ群の符号が記載されているため、便宜上、この各レンズ群の符号の下部にフォーカシングを表す矢印を付しているが、各ズーミング状態において、フォーカシングの際に各レンズ群が移動する方向は、実施の形態ごとに後に具体的に説明する。
【００１５】
なお図１、図４、図７、図１０において、特定の面に付されたアスタリスク＊は、該面が非球面であることを示している。また図１、図４、図７、図１０において、各レンズ群の符号に付された記号（＋）及び記号（−）は、各レンズ群のパワーの符号に対応する。また図１、図４、図７、図１０において、最も右側に記載された直線は、像面Ｓ（撮像素子の物体側の面）の位置を表す。
【００１６】
（実施の形態１）
図１は、実施の形態１に係るズームレンズ系を表している。
【００１７】
ズームレンズ系は、物体側から像側へと順に、正のパワーを有する第１レンズ群Ｇ１と、負のパワーを有する第２レンズ群Ｇ２と、負のパワーを有する第３レンズ群Ｇ３と、開口絞りＡと、正のパワーを有する第４レンズ群Ｇ４と、正のパワーを有する第５レンズ群Ｇ５と、負のパワーを有する第６レンズ群Ｇ６と、平行平板Ｐと、で構成される。第４レンズ群Ｇ４、第５レンズ群Ｇ５および第６レンズ群Ｇ６は、後続レンズ群を構成する。
【００１８】
第１レンズ群Ｇ１は、正のパワーを有する第１レンズ素子Ｌ１、で構成される。
【００１９】
第２レンズ群Ｇ２は、負のパワーを有する第２レンズ素子Ｌ２、で構成される。
【００２０】
第３レンズ群Ｇ３は、物体側から像側へと順に、負のパワーを有する第３レンズ素子Ｌ３と、正のパワーを有する第４レンズ素子Ｌ４と、で構成される。第３レンズ素子Ｌ３と第４レンズ素子Ｌ４は接着材などで接着される接合レンズである。
【００２１】
第４レンズ群Ｇ４は、物体側から像側へと順に、正のパワーを有する第５レンズ素子Ｌ５と、正のパワーを有する第６レンズ素子Ｌ６と、負のパワーを有する第７レンズ素子Ｌ７と、正のパワーを有する第８レンズ素子Ｌ８と、で構成される。
【００２２】
第５レンズ群Ｇ５は、正のパワーを有する第９レンズ素子Ｌ９、で構成される。
【００２３】
第６レンズ群Ｇ６は、負のパワーを有する第１０レンズ素子Ｌ１０、で構成される。
【００２４】
開口絞りＡは、第４レンズ素子Ｌ４と第５レンズ素子Ｌ５の間に位置する。
【００２５】
各レンズ素子を説明する。
【００２６】
第１レンズ群Ｇ１内におけるレンズ素子を説明する。第１レンズ素子Ｌ１は、両凸レンズである。
【００２７】
第２レンズ群Ｇ２内におけるレンズ素子を説明する。第２レンズ素子Ｌ２は、両凹レンズであり、その両面は非球面である。
【００２８】
第３レンズ群Ｇ３内におけるレンズ素子を説明する。第３レンズ素子Ｌ３は、両凹レンズである。第４レンズ素子Ｌ４は、両凸レンズである。
【００２９】
第４レンズ群Ｇ４内におけるレンズ素子を説明する。第５レンズ素子Ｌ５は、両凸レンズであり、その両面は非球面である。第６レンズ素子Ｌ６は、両凸レンズである。第７レンズ素子Ｌ７は、両凹レンズである。第８レンズ素子Ｌ８は、物体側に凸面を有するメニスカスレンズであり、その両面は非球面である。
【００３０】
第５レンズ群Ｇ５内におけるレンズ素子を説明する。第９レンズ素子Ｌ９は、両凸レンズであり、その両面は非球面である。
【００３１】
第６レンズ群Ｇ６内におけるレンズ素子を説明する。第１０レンズ素子Ｌ１０は、物体側に凸面を有するメニスカスレンズであり、その両面は非球面である。
【００３２】
ズームレンズ系において、撮像時の広角端から望遠端へのズーミングの際に、第１レンズ群Ｇ１は像面側に凸の軌跡を描くように移動し、第２レンズ群Ｇ２は像面側に凸の軌跡を描くように移動し、第３レンズ群Ｇ３は像面側に凸の軌跡を描くように移動し、開口絞りＡは物体側へ移動し、第４レンズ群Ｇ４は物体側へ移動し、第５レンズ群Ｇ５は物体側へ移動し、第６レンズ群Ｇ６と像面Ｓが移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と開口絞りＡとの間隔が減少し、開口絞りＡと第４レンズ群Ｇ４との間隔が減少し、第４レンズ群Ｇ４と第５レンズ群Ｇ５との間隔が増大し、第５レンズ群Ｇ５と第６レンズ群Ｇ６との間隔が増大するように、各レンズ群が光軸に沿って移動する。また、図１に示すように、広角端から望遠端へのズーミングの際に、開口絞りＡの開放絞り径は、広角端に比べて中間位置では小さくなり、中間位置に比べて望遠端では大きくなる。
【００３３】
ズームレンズ系は、無限遠合焦状態から近接合焦状態へのフォーカシングの際に、図１のＧ５矢印が示すように、第５レンズ群Ｇ５が光軸に沿って物体側へ移動する。
【００３４】
（実施の形態２）
図４は、実施の形態２に係るズームレンズ系を表している。
【００３５】
ズームレンズ系は、物体側から像側へと順に、正のパワーを有する第１レンズ群Ｇ１と、負のパワーを有する第２レンズ群Ｇ２と、負のパワーを有する第３レンズ群Ｇ３と、開口絞りＡと、正のパワーを有する第４レンズ群Ｇ４と、正のパワーを有する第５レンズ群Ｇ５と、負のパワーを有する第６レンズ群Ｇ６と、平行平板Ｐと、で構成される。第４レンズ群Ｇ４、第５レンズ群Ｇ５および第６レンズ群Ｇ６は、後続レンズ群を構成する。
【００３６】
第１レンズ群Ｇ１は、正のパワーを有する第１レンズ素子Ｌ１、で構成される。
【００３７】
第２レンズ群Ｇ２は、負のパワーを有する第２レンズ素子Ｌ２、で構成される。
【００３８】
第３レンズ群Ｇ３は、物体側から像側へと順に、負のパワーを有する第３レンズ素子Ｌ３と、正のパワーを有する第４レンズ素子Ｌ４と、で構成される。第３レンズ素子Ｌ３と第４レンズ素子Ｌ４は接着材などで接着される接合レンズである。
【００３９】
第４レンズ群Ｇ４は、物体側から像側へと順に、正のパワーを有する第５レンズ素子Ｌ５と、正のパワーを有する第６レンズ素子Ｌ６と、負のパワーを有する第７レンズ素子Ｌ７と、正のパワーを有する第８レンズ素子Ｌ８と、で構成される。
【００４０】
第５レンズ群Ｇ５は、正のパワーを有する第９レンズ素子Ｌ９、で構成される。
【００４１】
第６レンズ群Ｇ６は、負のパワーを有する第１０レンズ素子Ｌ１０、で構成される。
【００４２】
開口絞りＡは、第４レンズ素子Ｌ４と第５レンズ素子Ｌ５の間に位置する。
【００４３】
各レンズ素子を説明する。
【００４４】
第１レンズ群Ｇ１内におけるレンズ素子を説明する。第１レンズ素子Ｌ１は、両凸レンズである。
【００４５】
第２レンズ群Ｇ２内におけるレンズ素子を説明する。第２レンズ素子Ｌ２は、両凹レンズであり、その両面は非球面である。
【００４６】
第３レンズ群Ｇ３内におけるレンズ素子を説明する。第３レンズ素子Ｌ３は、両凹レンズである。第４レンズ素子Ｌ４は、両凸レンズである。
【００４７】
第４レンズ群Ｇ４内におけるレンズ素子を説明する。第５レンズ素子Ｌ５は、両凸レンズであり、その両面は非球面である。第６レンズ素子Ｌ６は、両凸レンズである。第７レンズ素子Ｌ７は、両凹レンズである。第８レンズ素子Ｌ８は、物体側に凸面を有するメニスカスレンズであり、その両面は非球面である。
【００４８】
第５レンズ群Ｇ５内におけるレンズ素子を説明する。第９レンズ素子Ｌ９は、両凸レンズであり、その両面は非球面である。
【００４９】
第６レンズ群Ｇ６内におけるレンズ素子を説明する。第１０レンズ素子Ｌ１０は、物体側に凸面を有するメニスカスレンズであり、その両面は非球面である。
【００５０】
ズームレンズ系において、撮像時の広角端から望遠端へのズーミングの際に、第１レンズ群Ｇ１は像面側に凸の軌跡を描くように移動し、第２レンズ群Ｇ２は像面側に凸の軌跡を描くように移動し、第３レンズ群Ｇ３は像面側に凸の軌跡を描くように移動し、開口絞りＡは物体側へ移動し、第４レンズ群Ｇ４は物体側へ移動し、第５レンズ群Ｇ５は物体側へ移動し、第６レンズ群Ｇ６と像面Ｓが移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と開口絞りＡとの間隔が減少し、開口絞りＡと第４レンズ群Ｇ４との間隔が減少し、第４レンズ群Ｇ４と第５レンズ群Ｇ５との間隔が増大し、第５レンズ群Ｇ５と第６レンズ群Ｇ６との間隔が増大するように、各レンズ群が光軸に沿って移動する。また、図４に示すように、広角端から望遠端へのズーミングの際に、開口絞りＡの開放絞り径は、広角端に比べて中間位置では小さくなり、中間位置に比べて望遠端では大きくなる。
【００５１】
ズームレンズ系は、無限遠合焦状態から近接合焦状態へのフォーカシングの際に、図４のＧ５矢印が示すように、第５レンズ群Ｇ５が光軸に沿って物体側へ移動する。
【００５２】
（実施の形態３）
図７は、実施の形態３に係るズームレンズ系を表している。
【００５３】
ズームレンズ系は、物体側から像側へと順に、正のパワーを有する第１レンズ群Ｇ１と、負のパワーを有する第２レンズ群Ｇ２と、負のパワーを有する第３レンズ群Ｇ３と、開口絞りＡと、正のパワーを有する第４レンズ群Ｇ４と、正のパワーを有する第５レンズ群Ｇ５と、負のパワーを有する第６レンズ群Ｇ６と、平行平板Ｐと、で構成される。第４レンズ群Ｇ４、第５レンズ群Ｇ５および第６レンズ群Ｇ６は、後続レンズ群を構成する。
【００５４】
第１レンズ群Ｇ１は、正のパワーを有する第１レンズ素子Ｌ１、で構成される。
【００５５】
第２レンズ群Ｇ２は、負のパワーを有する第２レンズ素子Ｌ２、で構成される。
【００５６】
第３レンズ群Ｇ３は、物体側から像側へと順に、負のパワーを有する第３レンズ素子Ｌ３と、正のパワーを有する第４レンズ素子Ｌ４と、で構成される。第３レンズ素子Ｌ３と第４レンズ素子Ｌ４は接着材などで接着される接合レンズである。
【００５７】
第４レンズ群Ｇ４は、物体側から像側へと順に、正のパワーを有する第５レンズ素子Ｌ５と、正のパワーを有する第６レンズ素子Ｌ６と、負のパワーを有する第７レンズ素子Ｌ７と、正のパワーを有する第８レンズ素子Ｌ８と、で構成される。
【００５８】
第５レンズ群Ｇ５は、正のパワーを有する第９レンズ素子Ｌ９、で構成される。
【００５９】
第６レンズ群Ｇ６は、負のパワーを有する第１０レンズ素子Ｌ１０、で構成される。
【００６０】
開口絞りＡは、第４レンズ素子Ｌ４と第５レンズ素子Ｌ５の間に位置する。
【００６１】
各レンズ素子を説明する。
【００６２】
第１レンズ群Ｇ１内におけるレンズ素子を説明する。第１レンズ素子Ｌ１は、両凸レンズである。
【００６３】
第２レンズ群Ｇ２内におけるレンズ素子を説明する。第２レンズ素子Ｌ２は、両凹レンズであり、その両面は非球面である。
【００６４】
第３レンズ群Ｇ３内におけるレンズ素子を説明する。第３レンズ素子Ｌ３は、両凹レンズである。第４レンズ素子Ｌ４は、両凸レンズである。
【００６５】
第４レンズ群Ｇ４内におけるレンズ素子を説明する。第５レンズ素子Ｌ５は、両凸レンズであり、その両面は非球面である。第６レンズ素子Ｌ６は、両凸レンズである。第７レンズ素子Ｌ７は、物体側に凸面を有するメニスカスレンズである。第８レンズ素子Ｌ８は、物体側に凸面を有するメニスカスレンズであり、その両面は非球面である。
【００６６】
第５レンズ群Ｇ５内におけるレンズ素子を説明する。第９レンズ素子Ｌ９は、物体側に凸面を有するメニスカスレンズであり、その両面は非球面である。
【００６７】
第６レンズ群Ｇ６内におけるレンズ素子を説明する。第１０レンズ素子Ｌ１０は、物体側に凸面を有するメニスカスレンズであり、その両面は非球面である。
【００６８】
ズームレンズ系において、撮像時の広角端から望遠端へのズーミングの際に、第１レンズ群Ｇ１は像面側に凸の軌跡を描くように移動し、第２レンズ群Ｇ２は像面側に凸の軌跡を描くように移動し、第３レンズ群Ｇ３は像面側に凸の軌跡を描くように移動し、開口絞りＡは物体側へ移動し、第４レンズ群Ｇ４は物体側へ移動し、第５レンズ群Ｇ５は物体側へ移動し、第６レンズ群Ｇ６と像面Ｓが移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と開口絞りＡとの間隔が減少し、開口絞りＡと第４レンズ群Ｇ４との間隔が減少し、第４レンズ群Ｇ４と第５レンズ群Ｇ５との間隔が増大し、第５レンズ群Ｇ５と第６レンズ群Ｇ６との間隔が増大するように、各レンズ群が光軸に沿って移動する。また、図７に示すように、広角端から望遠端へのズーミングの際に、開口絞りＡの開放絞り径は、広角端に比べて中間位置では小さくなり、中間位置に比べて望遠端では大きくなる。
【００６９】
ズームレンズ系は、無限遠合焦状態から近接合焦状態へのフォーカシングの際に、図７のＧ５矢印が示すように、第５レンズ群Ｇ５が光軸に沿って物体側へ移動する。
【００７０】
（実施の形態４）
図１０は、実施の形態４に係るズームレンズ系を表している。
【００７１】
ズームレンズ系は、物体側から像側へと順に、正のパワーを有する第１レンズ群Ｇ１と、負のパワーを有する第２レンズ群Ｇ２と、負のパワーを有する第３レンズ群Ｇ３と、開口絞りＡと、正のパワーを有する第４レンズ群Ｇ４と、正のパワーを有する第５レンズ群Ｇ５と、平行平板Ｐと、で構成される。第４レンズ群Ｇ４および第５レンズ群Ｇ５は、後続レンズ群を構成する。
【００７２】
第１レンズ群Ｇ１は、正のパワーを有する第１レンズ素子Ｌ１、で構成される。
【００７３】
第２レンズ群Ｇ２は、負のパワーを有する第２レンズ素子Ｌ２、で構成される。
【００７４】
第３レンズ群Ｇ３は、物体側から像側へと順に、負のパワーを有する第３レンズ素子Ｌ３と、正のパワーを有する第４レンズ素子Ｌ４と、で構成される。第３レンズ素子Ｌ３と第４レンズ素子Ｌ４は接着材などで接着される接合レンズである。
【００７５】
第４レンズ群Ｇ４は、物体側から像側へと順に、正のパワーを有する第５レンズ素子Ｌ５と、正のパワーを有する第６レンズ素子Ｌ６と、負のパワーを有する第７レンズ素子Ｌ７と、正のパワーを有する第８レンズ素子Ｌ８と、で構成される。
【００７６】
第５レンズ群Ｇ５は、正のパワーを有する第９レンズ素子Ｌ９と、負のパワーを有する第１０レンズ素子Ｌ１０と、で構成される。
【００７７】
開口絞りＡは、第４レンズ素子Ｌ４と第５レンズ素子Ｌ５の間に位置する。
【００７８】
各レンズ素子を説明する。
【００７９】
第１レンズ群Ｇ１内におけるレンズ素子を説明する。第１レンズ素子Ｌ１は、両凸レンズである。
【００８０】
第２レンズ群Ｇ２内におけるレンズ素子を説明する。第２レンズ素子Ｌ２は、両凹レンズであり、その両面は非球面である。
【００８１】
第３レンズ群Ｇ３内におけるレンズ素子を説明する。第３レンズ素子Ｌ３は、両凹レンズである。第４レンズ素子Ｌ４は、両凸レンズである。
【００８２】
第４レンズ群Ｇ４内におけるレンズ素子を説明する。第５レンズ素子Ｌ５は、両凸レンズであり、その両面は非球面である。第６レンズ素子Ｌ６は、両凸レンズである。第７レンズ素子Ｌ７は、物体側に凸面を有するメニスカスレンズである。第８レンズ素子Ｌ８は、物体側に凸面を有するメニスカスレンズであり、その両面は非球面である。
【００８３】
第５レンズ群Ｇ５内におけるレンズ素子を説明する。第９レンズ素子Ｌ９は、両凸レンズであり、その両面は非球面である。第１０レンズ素子Ｌ１０は、物体側に凸面を有するメニスカスレンズであり、その両面は非球面である。
【００８４】
ズームレンズ系において、撮像時の広角端から望遠端へのズーミングの際に、第１レンズ群Ｇ１は物体側へ移動し、第２レンズ群Ｇ２は像面側に凸の軌跡を描くように移動し、第３レンズ群Ｇ３は像面側に凸の軌跡を描くように移動し、開口絞りＡは物体側へ移動し、第４レンズ群Ｇ４は物体側へ移動し、第５レンズ群Ｇ５は物体側へ移動し、像面Ｓが移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と開口絞りＡとの間隔が減少し、開口絞りＡと第４レンズ群Ｇ４との間隔が減少し、第４レンズ群Ｇ４と第５レンズ群Ｇ５との間隔が増大するように、各レンズ群が光軸に沿って移動する。また、図１０に示すように、広角端から望遠端へのズーミングの際に、開口絞りＡの開放絞り径は、広角端に比べて中間位置では小さくなり、中間位置に比べて望遠端では大きくなる。
【００８５】
ズームレンズ系は、無限遠合焦状態から近接合焦状態へのフォーカシングの際に、図１０のＧ５矢印が示すように、第５レンズ群Ｇ５が光軸に沿って物体側へ移動する。
【００８６】
（他の実施の形態）
以上のように、本出願において開示する技術の例示として、実施の形態１から４を説明した。しかしながら、本開示における技術は、これに限定されず、適宜、変更、置き換え、付加、省略などを行った実施の形態にも適用可能である。
【００８７】
（条件及び効果等）
以下、例えば実施の形態１から４に係るズームレンズ系が満足することが可能な条件を説明する。なお、実施の形態１から４に係るズームレンズ系に対して、複数の可能な条件が規定されるが、これら複数の条件すべてを満足するズームレンズ系の構成が最も効果的である。しかしながら、個別の条件を満足することにより、それぞれ対応する効果を奏するズームレンズ系を得ることも可能である。
【００８８】
ズームレンズ系は、物体側から像側へと順に、正のパワーを有する１枚のレンズ素子からなる第１レンズ群Ｇ１と、負のパワーを有する１枚のレンズ素子からなる第２レンズ群Ｇ２と、負のパワーを有する第３レンズ群Ｇ３と、少なくとも２つ以上のレンズ群を含む後続レンズ群と、を備える。
【００８９】
そして、例えば、ズームレンズ系は、以下の条件（１）を満足することが望ましい。
【００９０】
１．６５  ＜  ｜ｆ２｜／ｆｗ  ＜    ２．２０  ・・・（１）
ここで、
ｆ２：第２レンズ群Ｇ２の焦点距離、
ｆｗ：広角端における全系焦点距離、
である。
【００９１】
第２レンズ群Ｇ２の焦点距離の具体的数値は後述する数値実施例１〜４の表３Ｃ、表６Ｃ、表９Ｃ、表１２Ｃのズームレンズ群データに、広角端における全系焦点距離の具体的数値は、後述する数値実施例１〜４の表３Ａ、表６Ａ、表９Ａ、表１２Ａに示す各種データに示される。
【００９２】
第１レンズ群Ｇ１および第２レンズ群Ｇ２は、１枚のレンズ素子で構成されているため、光学全長をコンパクトにできる。
【００９３】
条件（１）は、第２レンズ群Ｇ２の焦点距離の絶対値と広角端における全系の焦点距離との比を規定するための条件である。条件（１)の上限を上回ると、ズーミング時の第２レンズ群Ｇ２の移動量が大きくなるとともに、望遠端での光学全長が大きくなり過ぎることから、コンパクトなズームレンズ系を提供することが困難となる。また、条件（１）の下限を下回ると、全系に渡っての諸収差の補正が困難になり、所望の光学性能を確保することが困難となる。
【００９４】
好ましくは、条件（１ａ）または条件（１ｂ）のいずれか一方を満足することにより、前述の効果をさらに奏功させることができる。
【００９５】
１．７０  ＜  ｜ｆ２｜／ｆｗ    ・・・（１ａ）
｜ｆ２｜／ｆｗ  ＜    ２．１５  ・・・（１ｂ）
さらに好ましくは、条件（１ｃ）または条件（１ｄ）のいずれか一方を満足することにより、前述の効果をさらに奏功させることができる。
【００９６】
１．７５  ＜  ｜ｆ２｜／ｆｗ    ・・・（１ｃ）
｜ｆ２｜／ｆｗ  ＜    ２．１０  ・・・（１ｄ）
また、例えば、ズームレンズ系は、以下の条件（２）を満足することが望ましい。
【００９７】
１．６０  ＜  ｎｄ２  ＜  ２．１０  ・・・（２）
ここで、
ｎｄ２：第２レンズ群Ｇ２のｄ線屈折率、
である。
【００９８】
第２レンズ群Ｇ２のｄ線屈折率の具体的数値は、後述する数値実施例１〜４の表１、表４、表７、表１０示す面データに、ｄ線に対する屈折率ｎｄとして示される。
【００９９】
条件（２）は、第２レンズ群のｄ線屈折率を規定するための条件である。条件（２）の下限を下回ると、ズーミング時の第２レンズ群の移動量が大きくなるとともに、望遠端での光学全長が大きくなり過ぎることから、コンパクトなレンズ鏡筒や撮像装置、カメラを提供することが困難となる。また、条件（２）の上限を上回ると、全系に渡っての諸収差が発生、特に像面湾曲の抑制が難しくなり、所望の光学性能を確保することが困難となる。
【０１００】
好ましくは、条件（２ａ）または条件（２ｂ）のいずれか一方を満足することにより、前述の効果をさらに奏功させることができる。
【０１０１】
１．７０  ＜  ｎｄ２    ・・・（２ａ）
ｎｄ２    ＜  ２．００  ・・・（２ｂ）
さらに好ましくは、条件（２ｃ）または条件（２ｄ）のいずれか一方を満足することにより、前述の効果をさらに奏功させることができる。
【０１０２】
１．８０  ＜  ｎｄ２    ・・・（２ｃ）
ｎｄ２    ＜  １．９０  ・・・（２ｄ）
また、例えば、ズームレンズ系は、以下の条件（３）を満足することが望ましい。
【０１０３】
６０  ＜  （ｖｄａ＋ｖｄｂ）/  ２      ・・・（３）
ここで、
ｖｄａ：後続レンズ群のレンズ素子の中で最も大きいアッベ数、
ｖｄｂ：後続レンズ群のレンズ素子の中で２番目に大きいアッベ数、
である。
【０１０４】
後続レンズ群のレンズ素子の中で最も大きいアッベ数、後続レンズ群のレンズ素子の中で２番目に大きいアッベ数の具体的数値は、後述する数値実施例１〜４の表１、表４、表７、表１０に示す面データに、ｄ線に対するアッベ数νｄ（ｖｄとも記す）として示される。
【０１０５】
条件（３）は、後続レンズ群のレンズ素子のアッベ数を規定するための条件である。条件（３）の下限を下回ると、広角端から望遠端における色収差の補正、特に軸上色収差の補正を良好に行なうことが困難となる。
【０１０６】
好ましくは、条件（３ａ）を満足することにより、前述の効果をさらに奏功させることができる。
【０１０７】
６５  ＜  （ｖｄａ＋ｖｄｂ）/  ２      ・・・（３ａ）
さらに好ましくは、条件（３ｂ）を満足することにより、前述の効果をさらに奏功させることができる。
【０１０８】
７０  ＜  （ｖｄａ＋ｖｄｂ）/  ２      ・・・（３ｂ）
また、例えば、ズームレンズ系は、以下の条件（４）を満足することが望ましい。
【０１０９】
５．５０  ＜  ｜ｆ３｜／ｆｗ  ＜    ７．２０  ・・・（４）
ここで、
ｆ３：第３レンズ群Ｇ３の焦点距離、
である。
【０１１０】
第３レンズ群Ｇ３の焦点距離の具体的数値は、後述する数値実施例１〜４の表３Ｃ、表６Ｃ、表９Ｃ、表１２Ｃに示すズームレンズ群データに示される。
【０１１１】
条件（４）は、第３レンズ群の焦点距離の絶対値と広角端における全系の焦点距離との比を規定するための条件である。条件（４)の上限を上回ると、ズーミング時の第３レンズ群Ｇ３の移動量が大きくなるとともに、望遠端での光学全長が大きくなり過ぎることから、コンパクトなズームレンズ系を提供することが困難となる。また、条件（４）の下限を下回ると、全系に渡っての諸収差の補正が困難になり、所望の光学性能を確保することが困難となる。
【０１１２】
好ましくは、条件（４ａ）または条件（４ｂ）のいずれか一方を満足することにより、前述の効果をさらに奏功させることができる。
【０１１３】
５．７０  ＜  ｜ｆ３｜／ｆｗ    ・・・（４ａ）
｜ｆ３｜／ｆｗ  ＜    ７．００  ・・・（４ｂ）
さらに好ましくは、条件（４ｃ）または条件（４ｄ）のいずれか一方を満足することにより、前述の効果をさらに奏功させることができる。
【０１１４】
５．９０  ＜  ｜ｆ３｜／ｆｗ    ・・・（４ｃ）
｜ｆ３｜／ｆｗ  ＜    ６．８０  ・・・（４ｄ）
また、例えば、後続レンズ群は、物体側から像側へと順に、正のパワーを有する第４レンズ群Ｇ４と、正のパワーを有する第５レンズ群Ｇ５と、負のパワーを有する第６レンズ群Ｇ６と、で構成されるのが望ましい。
【０１１５】
これにより、広角端から望遠端まで良好な光学性能を有するズームレンズ系を構成することができる。
【０１１６】
また、例えば、後続レンズ群は、物体側から像側へと順に、正のパワーを有する第４レンズ群Ｇ４と、正のパワーを有する第５レンズ群Ｇ５と、で構成されるのが望ましい。
【０１１７】
これにより、広角端から望遠端まで良好な光学性能を有するズームレンズ系を構成することができるとともに、より簡易なズームレンズ系を構成することができる。
【０１１８】
また、例えば、ズームレンズ系は、以下の条件（５）を満足することが望ましい。
【０１１９】
３５  ＜  νｄＧ１ｍａｘ  ＜  ８０  ・・・（５）
ここで、
νｄＧ１ｍａｘ：第１レンズ群Ｇ１と第２レンズ群Ｇ２のレンズ素子の中で最も大きいアッベ数、
である。
【０１２０】
条件（５）は、第１レンズ群Ｇ１と第２レンズ群Ｇ２のレンズ素子の中で最も大きいアッベ数を規定するための条件である。条件（５）の上限を上回ると、光学全長が大きくなり過ぎることから、コンパクトなズームレンズ系を提供することが困難となる。逆に、条件（５）の下限を下回ると、諸収差、特に色収差を良好に補正することが困難となる。
【０１２１】
好ましくは、条件（５ａ）または、条件（５ｂ）のいずれか一方を満足することにより、前述の効果をさらに奏功させることができる。
【０１２２】
４０  ＜  νｄＧ１ｍａｘ  ・・・（５ａ）
νｄＧ１ｍａｘ  ＜  ６７  ・・・（５ｂ）
さらに好ましくは、条件（５ｃ）または、条件（５ｄ）のいずれか一方を満足することにより、前述の効果をさらに奏功させることができる。
【０１２３】
４７  ＜  νｄＧ１ｍａｘ  ・・・（５ｃ）
νｄＧ１ｍａｘ  ＜  ５９  ・・・（５ｄ）
また、例えば、ズームレンズ系は、以下の条件（６）を満足することが望ましい。
【０１２４】
１．５  ＜  ｎｄＧ１２ｍｉｎ  ＜  １．８５  ・・・（６）
ここで、
ｎｄＧ１２ｍｉｎ：第１レンズ群Ｇ１と第２レンズ群Ｇ２のレンズ素子の中で最も小さいｄ線に対する屈折率、
である。
【０１２５】
条件（６）は、第１レンズ群Ｇ１と第２レンズ群Ｇ２のレンズ素子の中で最も小さいｄ線に対する屈折率を規定するための条件である。条件（６）の上限を上回ると、ズームレンズ系の全系における第１レンズ群Ｇ１と第２レンズ群Ｇ２が占めるパワーが強くなりすぎ、諸収差、特に軸上色収差を良好に取り除くことが困難となる。逆に、条件（６）の下限を下回ると、ズームレンズ系の全系における第１レンズ群Ｇ１と第２レンズ群Ｇ２が占めるパワーが弱くなりすぎ、コンパクトなズームレンズ系を提供することが困難となる。
【０１２６】
好ましくは、条件（６ａ）または、条件（６ｂ）のいずれか一方を満足することにより、前述の効果をさらに奏功させることができる。
【０１２７】
１．５５  ＜  ｎｄＧ１２ｍｉｎ  ・・・（６ａ）
ｎｄＧ１２ｍｉｎ  ＜  １．８０  ・・・（６ｂ）
さらに好ましくは、条件（６ｃ）または、条件（６ｄ）のいずれか一方を満足することにより、前述の効果をさらに奏功させることができる。
【０１２８】
１．６７  ＜  ｎｄＧ１２ｍｉｎ    ・・・（６ｃ）
ｎｄＧ１２ｍｉｎ  ＜  １．７５  ・・・（６ｄ）
（実施の形態１を適用した撮像装置の概略構成）
図１３は、本実施の形態１に係るズームレンズ系を適用した撮像装置の概略構成を示す。なお、本実施の形態２、３及び４に係るズームレンズ系を撮像装置に適用することも可能である。
【０１２９】
撮像装置１００は、筐体１０４と、撮像素子１０２と、ズームレンズ系１０１と、で構成されている。撮像装置１００の具体例はデジタルカメラである。
【０１３０】
ズームレンズ系１０１は、第１レンズ群Ｇ１と、第２レンズ群Ｇ２と、第３レンズ群Ｇ３と、開口絞りＡと、第４レンズ群Ｇ４と、第５レンズ群Ｇ５と、第６レンズ群Ｇ６と、を保持する鏡筒３０２（図１４参照）と、を備える。
【０１３１】
ズームレンズ系１０１には、第１レンズ群Ｇ１と、第２レンズ群Ｇ２と、第３レンズ群Ｇ３と、開口絞りＡと、第４レンズ群Ｇ４と、第５レンズ群Ｇ５と、がズーミングの際に移動するように、筐体１０４に含まれるアクチュエータやレンズ枠が構成されている。
【０１３２】
これにより、ズーム全域においてコンパクトで諸収差の良好な撮像装置を実現することができる。
【０１３３】
なお、以上説明した実施の形態１に係るズームレンズ系をデジタルカメラに適用した例を示したが、スマートフォン等に適用することもできる。
【０１３４】
（実施の形態１を適用したカメラの概略構成）
図１４は、本実施の形態１に係るズームレンズ系を適用したカメラの概略構成を示す。なお、本実施の形態２、３及び４に係るズームレンズ系をカメラに適用することも可能である。
【０１３５】
カメラ２００は、カメラ本体２０１と、カメラ本体２０１に着脱自在に接続される交換レンズ装置３００とを備える。
【０１３６】
カメラ本体２０１は、交換レンズ装置３００のズームレンズ系によって形成される光学像を受光して、電気的な画像信号に変換する撮像素子２０２と、撮像素子２０２によって変換された画像信号を表示するモニタ２０３と、画像信号を記憶するメモリ（図示せず）と、カメラマウント部２０４と、ファインダ２０５と、を含む。
【０１３７】
交換レンズ装置３００は、第１レンズ群Ｇ１と、第２レンズ群Ｇ２と、第３レンズ群Ｇ３と、開口絞りＡと、第４レンズ群Ｇ４と、第５レンズ群Ｇ５と、第６レンズ群Ｇ６と、を保持する鏡筒３０２と、カメラ本体２０１のカメラマウント部２０４に接続されるレンズマウント部３０４とを含む。
【０１３８】
カメラマウント部２０４及びレンズマウント部３０４は、物理的な接続のみならず、カメラ本体２０１内のコントローラ（図示せず）と交換レンズ装置３００内のコントローラ（図示せず）とを電気的に接続し、相互の信号のやり取りを可能とするインターフェースとしても機能する。
【０１３９】
ズームレンズ系３０１は、鏡筒３０２が保持する各レンズ群と、カメラ本体２０１の平行平板Ｐと、から構成される。ズームレンズ系３０１には、第１レンズ群Ｇ１と、第２レンズ群Ｇ２と、第３レンズ群Ｇ３と、開口絞りＡと、第４レンズ群Ｇ４と、第５レンズ群Ｇ５と、がズーミングの際に移動するように、交換レンズ装置３００内のコントローラによって制御されるアクチュエータやレンズ枠が構成されている。
【０１４０】
これにより、ズーム全域においてコンパクトで諸収差の良好なカメラを実現することができる。
【０１４１】
（数値実施例）
以下、実施の形態１〜４に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、νｄ（ｖｄとも記す）はｄ線に対するアッベ数である。また、各数値実施例において、＊印を付した面は非球面であり、非球面形状は次式で定義している。
【０１４２】
【数１】
2018049262.tif 000003
【０１４３】
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１４４】
また、各数値実施例において、絞り径は、各ズームポジションにおける有効な開放絞り径である。
【０１４５】
図２、図５、図８、図１１は、各々実施例１〜４に係るズームレンズ系の無限遠合焦状態の縦収差図である。
【０１４６】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１４７】
図３、図６、図９、図１２は、各々実施の形態１〜４に係るズームレンズ系の望遠端における横収差図である。
【０１４８】
各横収差図において、３つの収差図は、望遠端における基本状態に対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第２レンズ群Ｇ２（実施例１〜４）の光軸とを含む平面としている。
【０１４９】
（数値実施例１）
数値実施例１のズームレンズ系は、図１に示した実施の形態１に対応する。数値実施例１のズームレンズ系の面データを表１に、非球面データを表２に、無限遠合焦状態での各種データを表３Ａ〜表３Ｄに示す。
【０１５０】
【表１】
2018049262.tif 000004
【０１５１】
【表２】
2018049262.tif 000005
【０１５２】
（無限遠合焦状態での各種データ）
【０１５３】
【表３Ａ】
2018049262.tif 000006
【０１５４】
【表３Ｂ】
2018049262.tif 000007
【０１５５】
【表３Ｃ】
2018049262.tif 000008
【０１５６】
【表３Ｄ】
2018049262.tif 000009
【０１５７】
（数値実施例２）
数値実施例２のズームレンズ系は、図４に示した実施の形態２に対応する。数値実施例２のズームレンズ系の面データを表４に、非球面データを表５に、無限遠合焦状態での各種データを表６Ａ〜表６Ｄに示す。
【０１５８】
【表４】
2018049262.tif 000010
【０１５９】
【表５】
2018049262.tif 000011
【０１６０】
（無限遠合焦状態での各種データ）
【０１６１】
【表６Ａ】
2018049262.tif 000012
【０１６２】
【表６Ｂ】
2018049262.tif 000013
【０１６３】
【表６Ｃ】
2018049262.tif 000014
【０１６４】
【表６Ｄ】
2018049262.tif 000015
【０１６５】
（数値実施例３）
数値実施例３のズームレンズ系は、図７に示した実施の形態３に対応する。数値実施例３のズームレンズ系の面データを表７に、非球面データを表８に、無限遠合焦状態での各種データを表９Ａ〜表９Ｄに示す。
【０１６６】
【表７】
2018049262.tif 000016
【０１６７】
【表８】
2018049262.tif 000017
【０１６８】
（無限遠合焦状態での各種データ）
【０１６９】
【表９Ａ】
2018049262.tif 000018
【０１７０】
【表９Ｂ】
2018049262.tif 000019
【０１７１】
【表９Ｃ】
2018049262.tif 000020
【０１７２】
【表９Ｄ】
2018049262.tif 000021
【０１７３】
（数値実施例４）
数値実施例４のズームレンズ系は、図１０に示した実施の形態４に対応する。数値実施例４のズームレンズ系の面データを表１０に、非球面データを表１１に、無限遠合焦状態での各種データを表１２Ａ〜表１２Ｄに示す。
【０１７４】
【表１０】
2018049262.tif 000022
【０１７５】
【表１１】
2018049262.tif 000023
【０１７６】
（無限遠合焦状態での各種データ）
【０１７７】
【表１２Ａ】
2018049262.tif 000024
【０１７８】
【表１２Ｂ】
2018049262.tif 000025
【０１７９】
【表１２Ｃ】
2018049262.tif 000026
【０１８０】
【表１２Ｄ】
2018049262.tif 000027
【０１８１】
（条件の対応値）
以下、条件の対応値を表１３に示す。
【０１８２】
【表１３】
2018049262.tif 000028
【産業上の利用可能性】
【０１８３】
本開示に係るズームレンズ系は、デジタルスチルカメラ、交換レンズ式デジタルカメラ、デジタルビデオカメラ、携帯電話機器のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能であり、特にデジタルスチルカメラシステム、デジタルビデオカメラシステムといった高画質が要求される撮影光学系に好適である。
【符号の説明】
【０１８４】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０    第１０レンズ素子
Ａ    開口絞り
Ｐ    平行平板
Ｓ    像面
１００    撮像装置
１０１    ズームレンズ系
１０２    撮像素子
１０４    筐体
２００    カメラ
２０１    カメラ本体
２０２    撮像素子
２０３    モニタ
２０４    カメラマウント部
２０５    ファインダ
３００    交換レンズ装置
３０１    ズームレンズ系
３０２    鏡筒
３０４    レンズマウント部
【図１】
2018049262.tif 000029
【図２】
2018049262.tif 000030
【図３】
2018049262.tif 000031
【図４】
2018049262.tif 000032
【図５】
2018049262.tif 000033
【図６】
2018049262.tif 000034
【図７】
2018049262.tif 000035
【図８】
2018049262.tif 000036
【図９】
2018049262.tif 000037
【図１０】
2018049262.tif 000038
【図１１】
2018049262.tif 000039
【図１２】
2018049262.tif 000040
【図１３】
2018049262.tif 000041
【図１４】
2018049262.tif 000042